(57)【要約】【課題】断熱蓋部を取り外してこれを凍らせておき、これを断熱容体の開口部に装着して収納部を閉塞することで、缶ビールなどの炭酸飲料であっても保冷可能で且つ効率良く冷却保冷できる画期的な携帯断熱容器を提供すること。【解決手段】断熱容体１の開口部に着脱自在に断熱蓋部２を設けた携帯断熱容器において、前記断熱蓋部２内の内側に保冷剤４を設け、この保冷剤４の外側に断熱部５を設け、冷凍庫で冷やして前記断熱容体１の開口部に装着することで、前記収納部３を閉塞しこの収納部３内の収納物６を冷却するように構成した携帯断熱容器。【選択図】図５
2010202259.tif 000002
【特許請求の範囲】
【請求項１】
断熱容体の開口部に着脱自在に断熱蓋部を設けた携帯断熱容器において、前記断熱容体の収納部側となる前記断熱蓋部内の内側に保冷剤を設け、この保冷剤の外側に断熱部を設け、この断熱部の内側に保冷剤を内装した断熱蓋部を冷凍庫で冷やして前記断熱容体の開口部に装着することで、前記収納部を閉塞しこの収納部内の収納物を保冷若しくは冷却するように構成したことを特徴とする携帯断熱容器。
【請求項２】
前記断熱蓋部は、保冷剤収納部に前記保冷剤を収納し、断熱材で直接若しくは封止板で封止し、この保冷剤の外側に断熱材若しくは断熱層で構成した前記断熱部を配設した構成としたことを特徴とする請求項１記載の携帯断熱容器。
【請求項３】
前記断熱蓋部に、前記断熱容体の開口部に設けた螺着部に着脱自在に螺着する螺子部を設けてこの断熱蓋部を開口部に着脱自在に螺着するように構成し、この螺子部を外周に設けた蓋本体に設けた前記保冷剤収納部に前記保冷剤を封入し断熱材若しくは断熱層で構成した前記断熱部でこの外側を覆った構成としたことを特徴とする請求項２記載の携帯断熱容器。
【請求項４】
前記断熱蓋部は、前記保冷剤収納部に前記保冷剤を封入し、この保冷剤を封入した外側に断熱材収納部を設け、この断熱材収納部に断熱材を収納し外キャップで閉塞して前記保冷剤の外側に前記断熱部を配設した構成としたことを特徴とする請求項２，３のいずれか１項に記載の携帯断熱容器。
【請求項５】
前記断熱容体の開口部から出し入れして前記収納部内に市販の飲料缶容器を前記収納物として取り出し自在に収納するように構成し、前記断熱蓋部の内側の前記収納部にのぞむ内端面の形状を、前記飲料缶容器の上端面若しくは下端面の全部若しくは一部の形状と合致した形状に設定して、この断熱蓋部と飲料缶容器とが当接若しくは接近する面積を大きくしたことを特徴とする請求項１〜４のいずれか１項に記載の携帯断熱容器。
【請求項６】
前記断熱容体の収納部に収納した前記収納物としての飲料缶容器の底部の凹部内に配設する凸部を有する形状に前記断熱蓋部の前記内端面の形状を設定して、前記断熱蓋部と前記飲料缶容器との間隙を小さくしたことを特徴とする請求項５記載の携帯断熱容器。
【発明の詳細な説明】
【技術分野】
【０００１】
本発明は、水やお茶あるいは缶ビールや缶ジュースなどの収納物を保冷する携帯断熱容器に関するものである。
【背景技術】
【０００２】
真空断熱層や断熱材を設けた断熱構造の容体で形成した水筒などの携帯断熱容器は、断熱するだけで積極的に冷却するものではないため冷温状態が長く続かず保冷作用が十分でない。またビールや炭酸ジュースなどの炭酸飲料などを収納することも好ましくない。
【０００３】
一方、冷温状態が長時間つづき保冷作用が良好となるように、冷凍庫で凍結させた保冷剤入り保冷パックを一緒に収納したのでは逐次保冷パックを洗わなければならないし、清潔感にかける。
【０００４】
また、飲料缶容器を収納して保冷するようにすれば、このような問題もないしビールや炭酸飲料も保冷できることになるが、この場合には収納部に保冷パックの収納スペースも確保しなければならないし、収納取り出しがやっかいとなったり、無駄にスペースが空いてしまって保冷作用が逆に劣ってしまう場合もある。
【発明の概要】
【発明が解決しようとする課題】
【０００５】
本発明は、閉塞蓋に保冷剤を収納し、この外側に断熱部を設けた構成とした閉塞蓋（断熱蓋部）自体を冷凍庫に入れて凍結させる保冷具とする画期的な発想により上記問題点を解決したもので、この断熱蓋部を取り外してこれを凍らせておき、これを断熱容体の開口部に装着して収納部を閉塞することで、単に断熱容体によって保冷するだけでなく、冷凍庫で冷やした断熱蓋部内の保冷剤によって冷却できるため保冷作用が良好となり、しかも収納物と一緒に収納部内に保冷パックを入れる構成でないから清潔であり、また収納スペースを占有しないから、例えば飲料缶容器を丁度収納できるように断熱容体を構成すれば、出し入れが容易で、しかもビールや炭酸ジュースなどの炭酸飲料であっても保冷可能で且つ効率良く冷却保冷できる画期的な携帯断熱容器となる。
【課題を解決するための手段】
【０００６】
添付図面を参照して本発明の要旨を説明する。
【０００７】
断熱容体１の開口部に着脱自在に断熱蓋部２を設けた携帯断熱容器において、前記断熱容体１の収納部３側となる前記断熱蓋部２内の内側に保冷剤４を設け、この保冷剤４の外側に断熱部５を設け、この断熱部５の内側に保冷剤４を内装した断熱蓋部２を冷凍庫で冷やして前記断熱容体１の開口部に装着することで、前記収納部３を閉塞しこの収納部３内の収納物６を保冷若しくは冷却するように構成したことを特徴とする携帯断熱容器に係るものである。
【０００８】
また、前記断熱蓋部２は、保冷剤収納部７に前記保冷剤４を収納し、断熱材で直接若しくは封止板８で封止し、この保冷剤４の外側に断熱材若しくは断熱層で構成した前記断熱部５を配設した構成としたことを特徴とする請求項１記載の携帯断熱容器に係るものである。
【０００９】
また、前記断熱蓋部２に、前記断熱容体１の開口部に設けた螺着部９に着脱自在に螺着する螺子部10を設けてこの断熱蓋部２を開口部に着脱自在に螺着するように構成し、この螺子部10を外周に設けた蓋本体11に設けた前記保冷剤収納部７に前記保冷剤４を封入し断熱材若しくは断熱層で構成した前記断熱部５でこの外側を覆った構成としたことを特徴とする請求項２記載の携帯断熱容器に係るものである。
【００１０】
また、前記断熱蓋部２は、前記保冷剤収納部７に前記保冷剤４を封入し、この保冷剤４を封入した外側に断熱材収納部12を設け、この断熱材収納部12に断熱材13を収納し外キャップ14で閉塞して前記保冷剤４の外側に前記断熱部５を配設した構成としたことを特徴とする請求項２，３のいずれか１項に記載の携帯断熱容器に係るものである。
【００１１】
また、前記断熱容体１の開口部から出し入れして前記収納部３内に市販の飲料缶容器を前記収納物６として取り出し自在に収納するように構成し、前記断熱蓋部２の内側の前記収納部３にのぞむ内端面の形状を、前記飲料缶容器６の上端面若しくは下端面の全部若しくは一部の形状と合致した形状に設定して、この断熱蓋部２と飲料缶容器６とが当接若しくは接近する面積を大きくしたことを特徴とする請求項１〜４のいずれか１項に記載の携帯断熱容器に係るものである。
【００１２】
また、前記断熱容体１の収納部３に収納した前記収納物６としての飲料缶容器６の底部の凹部15内に配設する凸部16を有する形状に前記断熱蓋部２の前記内端面の形状を設定して、前記断熱蓋部２と前記飲料缶容器６との間隙を小さくしたことを特徴とする請求項５記載の携帯断熱容器に係るものである。
【発明の効果】
【００１３】
本発明は上述のように構成したから、断熱蓋部に保冷剤を収納し、この保冷剤の外側に断熱部を設けた構成とした断熱蓋部自体が冷凍庫に入れて冷却する保冷具となるもので、この画期的な発想により、この取り外して冷却済の断熱蓋部を断熱容体の開口部に装着して収納部を閉塞するだけで、単に断熱容体によって保冷するだけでなく、冷凍庫で冷やした断熱蓋部内の保冷剤によって冷却できるため保冷作用が良好となり、しかも収納物と一緒に収納部内に保冷パックを入れる構成でないから清潔であり、また収納スペースを占有しないから、例えば飲料缶容器を丁度収納できるように断熱容体を構成すれば、出し入れが容易で、しかもビールや炭酸ジュースなどの炭酸飲料であっても保冷可能で且つ効率良く冷却できる画期的な携帯断熱容器となる。
【００１４】
また、請求項２，３，４記載の発明においては、一層簡易な構成で本発明を容易に実現でき、効率良く冷却・保冷作用が発揮される携帯断熱容器となる。
【００１５】
また、請求項５，６記載の発明においては、飲料缶容器を保冷・冷却でき、ビールや炭酸ジュースなどの炭酸飲料でも収納保冷でき、しかも取り出し容易であり更に保冷剤により冷却できるだけでなく、この保冷剤による冷却・保冷作用が一層効率良く発揮される極めて優れた携帯断熱容器となる。
【図面の簡単な説明】
【００１６】
【図１】本実施例の斜視図である。
【図２】本実施例の分解斜視図である。
【図３】本実施例の断熱蓋部の分解斜視図を示す分解斜視図である。
【図４】本実施例の収納状態の正断面図である。
【図５】本実施例の取り出し途中の説明斜視図である。
【発明を実施するための形態】
【００１７】
好適と考える本発明の実施形態（発明をどのように実施するか）を、図面に基づいて本発明の作用を示して簡単に説明する。
【００１８】
断熱蓋部２を冷凍庫で冷やして例えば断熱蓋部２内の保冷剤４を凍結させておき、断熱容体１の収納部３に保冷したい収納物６例えば水やお茶を入れたり、飲料缶容器６を収納した後、前記冷やしておいた断熱蓋部２を冷凍庫から取り出して閉塞する。
【００１９】
例えば断熱容体１の開口部から収納部３内に飲料缶容器６を収納し、開口部に前記断熱蓋部２を装着して閉塞するだけで、この飲料缶容器６を保冷剤４により冷却しつつ保冷できる。
【００２０】
収納部３には保冷パック用の収納スペースなどを設ける必要がないから飲料缶容器６がピッタリと収納できる形状に設計でき、出し入れし易い上に無駄なスペースも生じず断熱容体１の断熱作用も保冷剤４による冷却作用も効率良く発揮される。
【００２１】
また、前述のように収納物６を飲料缶容器６とすれば炭酸飲料でも保冷できる。
【００２２】
しかも、このように保冷パックを用いなくても断熱蓋部２が保冷パックをかねることとなり、この断熱蓋部２を冷やしておいてこれで閉塞することによって収納物６を冷却することができ、更にこの断熱蓋部２内の保冷剤４の外側には断熱部５を配設しているから、この保冷剤４による冷却作用も効率良く発揮される極めて優れた携帯断熱容器となる。
【実施例】
【００２３】
本発明の具体的な実施例について図面に基づいて説明する。
【００２４】
本実施例は、クーラーボックスと違って携帯性に優れ、ザックやカバンに入るサイズのボトル型の断熱容体１の上部開口部に着脱自在に断熱蓋部２を設けた携帯断熱容器に本発明を適用している。
【００２５】
断熱容体１は、円筒状の真空（減圧）二重容体で構成して外周に真空（減圧）断熱層を形成して保冷性を高めた断熱容体１としている。
【００２６】
本実施例では、この断熱容体１の上部開口部から内部の収納部３に水やお茶を直接入れたり、ブロックアイスを入れて保冷できるようにしているが、丁度（未開栓）の市販の３５０ｍｌ缶を丸ごと丁度収納できる形状に設計し、例えば３５０ｍｌビール缶６を一本（二本や三本直列に収納できるように設計しても良い。）収納できる形状に設定している。
【００２７】
また、本実施例の断熱蓋部２は、前記断熱容体１の収納部３側となる前記断熱蓋部２内の内側に保冷剤４を設け、この保冷剤４の外側に断熱部５を設け、この断熱部５の内側に保冷剤４を内装した断熱蓋部２を冷凍庫で冷やして凍結させておき、これを前記断熱容体１の開口部に装着することで、前記収納部３を閉塞しこの収納部３内の収納物６を冷却するように構成している。
【００２８】
即ち、断熱蓋部２は、最も内側寄りに形成した保冷剤収納部７に前記保冷剤４を収納し、その上部を封止板８で封止し、この上部即ち保冷剤４の外側に断熱材若しくは断熱層で構成した前記断熱部５を配設した構成としている。
【００２９】
本実施例では、断熱蓋部２に前記断熱容体１の開口部に設けた螺着部９に着脱自在に螺着する螺子部10を設けてこの断熱蓋部２を開口部に着脱自在に螺着するように構成し、この螺子部10を外周に設けた蓋本体11に設けた前記保冷剤収納部７に前記保冷剤４を封入し断熱材若しくは断熱層で構成した前記断熱部５でこの外側を覆った構成としている。
【００３０】
更に説明すると、本実施例では、前記保冷剤収納部７に前記保冷剤４を封入し、この保冷剤４を封入した外側に断熱材収納部12を設け、この断熱材収納部12に断熱材13（発泡スチロールなどの軽量で断熱性に優れたものが望ましい。）を収納し外キャップ14で閉塞して前記保冷剤４の外側に前記断熱部５を配設した構成としている。
【００３１】
尚、図中符号17は、断熱蓋部２の外周に被嵌するパッキンである。これにより若干の結露等による水漏れも防げる。
【００３２】
また、本実施例では、前述のように断熱容体１の上部開口部から出し入れして前記収納部３内に市販の飲料缶容器（３５０ｍｌ）を前記収納物６として取り出し自在に収納するように構成し、前記断熱蓋部２の内側の前記収納部３にのぞむ内端面の形状、即ち断熱蓋部２の内側底面の形状を前記飲料缶容器６の上端面若しくは下端面の全部若しくは一部の形状と合致した形状に設定して、この断熱蓋部２と飲料缶容器６とが当接若しくは接近する面積を大きくしている。即ち、できるだけ間隙を小さくして断熱蓋部２内の保冷剤４による冷却作用が良好となるように構成している。
【００３３】
具体的には、前記断熱容体１の収納部３に収納した前記収納物６としての飲料缶容器６（３５０ｍｌ缶ビール）の底部の凹部15内に配設する凸部16を有する形状に前記断熱蓋部２の前記内端面の形状を設定して、前記断熱蓋部２と前記飲料缶容器６との間隙を小さくしている。
【００３４】
即ち、できるだけ収納物６に保冷剤４を接近させて間隙を小さくし冷却作用と保冷作用を良好とし、またこれによりガタ付きもなくする構成としている。
【００３５】
このように本実施例では飲料缶をそのままスッポリと収納でき、しかもガタ付きなく密着性の高い形状に工夫することで取り出し収納も上部開口部から極めて簡単に出し入れ可能な構成で、しかも、この上部開口部を断熱蓋部２で閉塞するだけで、断熱部５で外側から覆われた保冷剤４によって効率良く冷却でき、しかもこの断熱蓋部２の内端面の形状を前述のように飲料缶の底部の凹部15に入り込む凸部16を有する形状とすることで一層効率良く冷却することができる。従って、例えば登山の山頂でザックから本製品を取り出し、断熱蓋部２を外して中から取り出した冷えた缶ビールを飲むことなどができ非常に実用性に優れ商品価値の高いものとなる。
【００３６】
保冷剤４は様々なものが採用可能だが、約９９％の水と高吸水性樹脂（ポリアクリル酸ナトリウム）、防腐剤、形状安定剤が含まれているものなどを採用し、保冷剤自体が温まってもまた冷凍させることによって何回でも繰り返し使うことができるものを採用している。
【００３７】
尚、本発明は、本実施例に限られるものではなく、各構成要件の具体的構成は適宜設計し得るものである。
【符号の説明】
【００３８】
１  断熱容体
２  断熱蓋部
３  収納部
４  保冷剤
５  断熱部
６  収納物（飲料缶容器）
７  保冷剤収納部
８  封止板
９  螺着部
10  螺子部
11  蓋本体
12  断熱材収納部
13  断熱材
14  外キャップ
15  凹部
16  凸部
【図１】
2010202259.tif 000003
【図２】
2010202259.tif 000004
【図３】
2010202259.tif 000005
【図４】
2010202259.tif 000006
【図５】
2010202259.tif 000007